(57)【要約】【課題】大量に保存された情報を効率的に閲覧するために、ユーザの要求に従って画面の切換時間間隔を動的に変更することを目的とする。【解決手段】情報取得部９は、データベース４から画像情報を取得し、ディスプレイ５は、順次、取得した画像を表示する。変更要求取得部２は、予め定められた画像情報の表示時間間隔ｄｔに対して、ユーザから要求される表示時間間隔ｄｔの変更要求を取得する。制御部６は、変更要求取得部２によって取得された変更要求に従って、ディスプレイ５が順次表示する画像情報の表示時間間隔ｄｔをダイナミックに変更する。これにより、ユーザは、アルバム等の大量に保存された情報を順序よく効率的に閲覧することができる。【選択図】        図１
2004317604.tif 000002
【特許請求の範囲】
【請求項１】
複数の情報を記憶するデータベースと、
上記データベースから任意の情報を取得する情報取得部と、
上記情報取得部が取得した任意の情報を順次表示する表示部と、
上記表示部が順次表示する情報の表示時間間隔に対して、ユーザから要求される表示時間間隔の変更要求を取得する変更要求取得部と、
上記変更要求取得部が取得した変更要求に従って、上記表示部が順次表示する情報の表示時間間隔を情報の表示中にダイナミックに変更する制御部とを備えた表示制御装置。
【請求項２】
上記変更要求取得部は、上記表示部が表示する情報の表示時間間隔との差分情報を変更要求として取得し、
上記制御部は、取得した変更要求の差分情報に従って上記表示部が表示する各情報の表示時間間隔を制御する請求項１に記載された表示制御装置。
【請求項３】
上記制御部は、上記変更要求からユーザが所定の基準値以下の表示時間間隔を要求していると判断した場合には、上記変更要求に従って上記表示部が順次表示する情報のいずれか１つ以上を早送りする請求項１に記載された表示制御装置。
【請求項４】
上記データベースは、複数の画像情報を記憶し、
上記情報取得部は、上記データベースから画像情報を取得し、
上記表示部は、上記制御部が制御する表示時間間隔によって上記情報取得部が取得した画像情報を順次表示する請求項１に記載された表示制御装置。
【請求項５】
上記データベースは、所定の画像情報に対応して音声情報を記憶し、
上記情報取得部は、上記データベースから所定の画像情報とともに対応する音声情報を取得し、
上記表示部は、上記制御部が制御する表示時間間隔に従って上記情報取得部が取得した各画像情報を順次表示し、
上記表示制御装置は、さらに、
上記制御部が制御する表示時間間隔に従って上記情報取得部が取得した各音声情報を順次出力する出力部を備えた請求項４に記載された表示制御装置。
【請求項６】
複数の画像情報を記憶するデータベースと、
所定の画像情報の一部を検索対象範囲としてユーザに指定することを要求し、ユーザが指定した検索対象範囲に含まれる画素から検索対象範囲に含まれる画像の特徴部分を抽出し、抽出した画像の特徴部分から検索条件を設定する条件設定部と、
上記データベースが記憶した複数の画像情報から上記条件設定部が設定した検索条件を満たす画像情報を取得する情報取得部と、
上記情報取得部が取得した画像情報を順次表示する表示部とを備えた表示制御装置。
【請求項７】
上記条件設定部は、ユーザが指定した検索対象範囲に含まれる画素から物体の形態情報を画像の特徴部分として抽出し、抽出した形態情報から検索条件を設定する請求項６に記載された表示制御装置。
【請求項８】
上記条件設定部は、ユーザが指定した検索対象範囲に含まれる画素から検索対象範囲に画像として表された物体の数情報を画像の特徴部分として抽出し、抽出した数情報から検索条件を設定する請求項６に記載された表示制御装置。
【請求項９】
上記条件設定部は、ユーザが指定した検索対象範囲に含まれる画素の持つ色相情報を画像の特徴部分として抽出し、抽出した色相情報から検索条件を設定する請求項６に記載された表示制御装置。
【請求項１０】
上記表示制御装置は、さらに、
物体を撮影する撮影部を備え、
上記条件設定部は、上記撮影部によって撮影された物体の画像情報の一部を検索対象範囲としてユーザに指定することを要求する請求項６に記載された表示制御装置。
【請求項１１】
上記データベースは、所定の画像情報に対応して音声情報を記憶し、
上記条件設定部は、ユーザからの指示を受けて音声情報を検索条件として設定し、
上記情報取得部は、上記条件設定部によって設定された検索条件を満たす画像情報と前記画像情報に対応する音声情報とを上記データベースから取得し、
上記表示部は、上記情報取得部が取得した画像情報を順次表示し、
上記出力部は、上記表示部が画像情報を表示するタイミングに連動して、画像情報に対応した音声情報を出力する請求項６に記載された表示制御装置。
【請求項１２】
複数の音声情報を記憶するデータベースと、
ユーザから指定された音声情報を検索条件として設定する条件設定部と、
上記データベースが記憶した複数の音声情報から上記条件設定部が設定した検索条件に基づいて音声情報を取得する情報取得部と、
上記情報取得部が取得した音声情報の全部または一部のいずれかを出力する出力部とを備えた表示制御装置。
【請求項１３】
上記条件設定部は、検索条件を複数設定し、
上記情報取得部は、上記条件設定部が設定した複数の検索条件に対してアンド検索またはオア検索のいずれかの検索を行う請求項６または請求項１２のいずれかに記載された表示制御装置。
【請求項１４】
上記条件設定部は、上記情報取得部によって取得された画像情報を加工する加工条件を設定し、
上記情報取得部は、上記加工条件に基づいて取得した画像情報を加工し、
上記表示部は、加工された画像情報を表示する請求項６に記載された表示制御装置。
【請求項１５】
上記条件設定部は、上記情報取得部が取得した画像情報を加工する加工条件を設定し、
上記表示部は、上記情報取得部が取得した画像情報を順次表示し、
上記情報取得部は、表示した画像情報からユーザによって加工を指定された画像情報を上記加工条件に基づいて加工し、
上記表示部は、加工された画像情報を表示する請求項６に記載された表示制御装置。
【請求項１６】
複数の情報をデータベースに記憶し、
上記データベースから任意の情報を取得し、
上記取得した任意の情報を順次表示し、
上記表示する情報の表示時間間隔に対して、ユーザから要求される表示時間間隔の変更要求を取得し、
上記取得した変更要求に従って、上記表示する情報の表示時間間隔を情報の表示中にダイナミックに変更する表示制御方法。
【請求項１７】
複数の情報をデータベースに記憶する処理と、
上記データベースから任意の情報を取得する処理と、
上記取得した任意の情報を順次表示する処理と、
上記表示する情報の表示時間間隔に対して、ユーザから要求される表示時間間隔の変更要求を取得する処理と、
上記取得した変更要求に従って、上記表示する情報の表示時間間隔を情報の表示中にダイナミックに変更する処理とをコンピュータに実行させる表示制御プログラム。
【発明の詳細な説明】
【０００１】
【発明の属する技術分野】
本発明は、電子アルバム等の大量に保存された情報を効率的に閲覧するための制御を行う表示制御装置及びその方法に関するものである。
【０００２】
【従来の技術】
近年、電子アルバム等の大量に保存された画像をメモリカード等の記憶装置に記憶しておき、携帯電話やＰＤＡ等のモバイル機器にメモリカードを装着して、記憶装置から画像を読み込み、モバイル機器の画面上で大量の画像を順次閲覧することが行われている。
【０００３】
また、スライドショウ等、多くの画面を順に表示する場合、１つの画面から他の画面への切換時間間隔を初期設定しておき、初期設定に従った切換時間間隔を使用して各画面の表示を切り換える方法が用いられている。
【０００４】
【特許文献１】
特開平８−６５２９号公報
【０００５】
【発明が解決しようとする課題】
しかし、大量の画像を順に閲覧する方法では、ユーザが見たい画像を画面上に表示させるまでに多くの時間を必要とする場合が多く、必ずしもユーザの使い勝手が良いものとはなっていなかった。そのため、ユーザからは、多数の画像等を順序良く効率的に閲覧して、ユーザが見たい画像を画面上に表示させるまでの時間を短縮させてほしいという要望があった。
【０００６】
このようなユーザの要望を満足させるためには、初期設定された切換時間間隔に基づいて画面毎の切換を制御するだけでなく、順次表示されていく画面の切換スピードからユーザがリアルタイムに切換スピードの変更を要求し、ユーザの要求に答えて、画面の切換時間間隔を動的に変更する表示制御装置が望まれていた。
【０００７】
本発明は、大量に保存された情報を効率的に閲覧するために、ユーザの要求に従って画面の切換時間間隔を動的に変更することを目的とする。
【０００８】
【課題を解決するための手段】
上記目的を達成するため、本発明に係る表示制御装置は、
複数の情報を記憶するデータベースと、
上記データベースから任意の情報を取得する情報取得部と、
上記情報取得部が取得した任意の情報を順次表示する表示部と、
上記表示部が順次表示する情報の表示時間間隔に対して、ユーザから要求される表示時間間隔の変更要求を取得する変更要求取得部と、
上記変更要求取得部が取得した変更要求に従って、上記表示部が順次表示する情報の表示時間間隔を情報の表示中にダイナミックに変更する制御部を備える。
【０００９】
【発明の実施の形態】
実施の形態１．
以下、実施の形態１について説明する。
まず、本実施の形態に係る画像表示速度制御装置の構成について説明する。
図１は、本実施の形態に係る画像表示速度制御装置１０の構成図である。
画像表示速度制御装置１０は、複数の画像を画像毎に自動的にディスプレイに表示する場合に、携帯電話の十字キー等を操作することでユーザから画像と画像との表示時間間隔の変更要求を受付け、変更要求に従って画像と画像との表示時間間隔を画像の表示中にダイナミックに変更する表示制御装置である。
【００１０】
画像表示速度制御装置１０は、ユーザがコマンドを入力するためのインターフェイスであるインターフェイス部１（ＭＭＩ：ＭＡＮ  ＭＡＣＨＩＮＥ  ＩＮＴＥＲＦＡＣＥ）、電子アルバム等の複数の画像情報を保存するデータベース４、時間を測定するタイマ７、インターフェイス部１のコマンドを識別して画像の表示時間間隔を求める変更要求取得部２、データベース４から任意の画像情報を取得する情報取得部９、情報取得部９が取得した任意の画像情報を順次表示するディスプレイ５、変更要求取得部２がユーザから取得した変更要求に従って、ディスプレイ５が順次表示する画像情報の表示時間間隔を画像の表示中にダイナミックに変更する制御部６から構成される。
【００１１】
データベース４は、複数の情報を記憶する記憶領域である。データベース４は画像表示速度制御装置１０の内部の記憶領域であってもよく。外部の記憶領域を使用してもよい。データベース４の一例としては、大量の画像情報を保持したメモリカードやメモリスティックが該当し、このように外部の記憶領域を使用する場合、メモリカードなどのデータベース４を画像表示速度制御装置１０にアタッチすることによって、画像情報を読み込む。
下記では、画像表示速度制御装置１０で制御する情報の一例として画像情報を挙げて説明するが、表示制御装置が制御する情報は写真等の静止画または動画である画像情報に限定されず、音声情報、テキスト情報などの情報でもよい。また、画像情報には写真等の静止画または動画が含まれる。
ディスプレイ５は、情報取得部９が取得した任意の情報を順次表示する表示部に相当する。
【００１２】
次に、図２を参照して、画像表示速度制御装置１０の動作手順を示す。図２は、画像表示速度制御装置１０の動作手順を示すフローチャートである。
まず、画像表示速度制御装置１０が行うルーチン処理について説明する。
情報取得部９は、データベース４に記憶された複数の画像情報から任意の画像情報を取得する（Ｓ３０）。データベース４から取得する画像情報はデータベース４に記憶されたすべての画像を対象としてもよく、一部の画像を対象としてもよい。一例としては、メモリスティックに保存された画像情報を携帯電話のメモリ上に読み込む動作が挙げられる。
情報取得部９が取得する画像情報がデータベース４上にない場合（Ｓ４０）、処理は終了する。
情報取得部９が取得する画像情報がある場合（Ｓ４０）、ディスプレイ５は、情報取得部９が取得した画像情報を、予め定められた表示時間間隔ｄｔに従って一定時間、順次表示する（Ｓ５０，Ｓ６０）。
【００１３】
次に画像表示速度制御装置１０が行う割込み処理について説明する。
画像表示速度制御装置１０は、ユーザからの割込み処理の要求に従って割込み処理を開始する。
ユーザは、たとえば、図３に示すように、携帯電話の十字キーなどを操作することで割込み処理を要求する。ユーザは、図３に示すテンキーを操作することによっても割込み処理の要求をすることができる。
【００１４】
たとえば、表示スピードを１０段階に変化できるとし、その指標として整数Ｎを使用する。ここでは、一例として、Ｎは、１から１０までの整数値を取るものとする。
まず、ユーザは、画像を順次表示しているディスプレイ５を見ながら、表示のスピードを変更したいと考えたとき、画像情報の表示時間間隔ｄｔの変更を要求する。この要求の方法としては、たとえば、インターフェイス部１のコマンドを識別して、ユーザが整数Ｎをインクリメント（一つ増加させること）することにより表示スピードの加速を要求し、あるいはデクリメント（一つ減少させること）することにより表示スピードの減速を要求する方法が挙げられる（Ｓ１０）。具体的には、図３に示すように十字キーのうち、ユーザが右のキーを押すとＮがインクリメントされ、表示スピードの加速要求（すなわち、表示時間間隔ｄｔの短縮要求）となり、左のキーを押すとＮがデクリメントされ、表示スピードの減速要求（すなわち、表示時間間隔ｄｔの拡大要求）となる。
このように、変更要求取得部２は、ユーザの上記動作によって、ユーザから要求される表示時間間隔ｄｔの変更要求を取得する。
【００１５】
図３では、画像表示速度制御装置１０の一例として携帯電話を図示している。表示制御装置の例としては、携帯電話の他、ＰＤＡ等のモバイル機器、その他のコンピュータが挙げられる。
また、図３では、十字キーやテンキーを用いてユーザが表示速度の変更要求を行う動作を示しているが、その他のインターフェイスとしては、ユーザが機器のボディーにタッチすることによりタッチセンサーを用いて表示速度の変更要求を行うことも可能である。
【００１６】
次に、制御部６は、前記Ｓ１０で求めたＮを使用して、画面データ（画像情報）の表示時間間隔ｄｔを計算する（Ｓ２０）。
たとえば、次式によって表示時間間隔ｄｔを求める。
ｄｔ＝５／Ｎ  （単位：秒）
この式によれば、Ｎ＝１のときｄｔ＝５秒、Ｎ＝２のときｄｔ＝２．５秒、Ｎ＝１０のときｄｔ＝０．５秒である。
ここで求めたｄｔは、ステップ５０（Ｓ５０）で使用する。
【００１７】
上述したように、情報取得部９では、データベース４から画像情報を読み込み（Ｓ３０）、読み込むデータがある場合には（Ｓ４０）、ディスプレイ５では、読み込んだ画像情報を表示時間間隔ｄｔで順次表示している（Ｓ５０，Ｓ６０）。
たとえば、図３に示すように、現在、ディスプレイ５には写真１が表示されている状態であり、ｄｔ秒後には、写真２が表示されるとする。ここで、写真１が表示されるｄｔを５秒とする。写真１が表示されている５秒の間に、ユーザが表示スピードの加速を希望して、表示時間間隔ｄｔを４秒に変更する変更要求を行ったとする。制御部６は、タイマ７を使用して写真２を表示する表示時間間隔ｄｔを４秒に変更する。すなわち、制御部６は写真２をディスプレイ５に表示後、４秒だけ処理をスリープする（Ｓ５０）。その後、ディスプレイ５の画面を写真３に切り換える（Ｓ６０）。このようにして、ディスプレイ５に表示された画像は、次の画像が描画されるまでの４秒間、表示され続ける。もし、写真２の表示中に上記制御が間に合わないようであれば、これからディスプレイ５が表示する写真３以降のいずれかの情報から表示時間間隔ｄｔを４秒に変更することとなる。
制御部６は、再びユーザからの表示時間間隔ｄｔの変更要求がない限り、写真２以降、順次表示する写真３、写真４・・・・の表示時間間隔ｄｔを４秒に設定してディスプレイ５の切り換えを制御する。
制御部６の上記動的制御に従って、Ｓ３０〜Ｓ６０の処理を繰り返すことにより、画像と画像との切換時間を動的に変化させながら、データベース４に保存された画像をディスプレイ５に順番に表示していくことができる。
【００１８】
このように、変更要求取得部２が、表示部（ディスプレイ５）が順次表示する情報（画像情報）の表示時間間隔ｄｔに対して、ユーザから要求される表示時間間隔ｄｔの変更要求を取得し、制御部６が、変更要求取得部２によって取得された変更要求に従って、表示部（ディスプレイ５）が順次表示する情報（画像情報）の表示時間間隔ｄｔを情報（画像情報）の表示中にダイナミックに変更することによって、ユーザは、アルバム等の大量に保存された情報を順序よく効率的に閲覧することができる。
なお、情報の表示時間間隔ｄｔを情報の表示中にダイナミックに変更するとは、現在表示している情報と次に表示する情報の間にユーザから変更要求を取得し、取得した変更要求に従って、これからディスプレイ５が次以降の情報を表示する表示時間間隔を動的に変更することをいう。
【００１９】
また、変更要求取得部２は、上記のように、切換スピードを絶対値ではなく、差分情報という相対値としてユーザから取得することができる。すなわち、変更要求取得部２は、インクリメントキーまたはデクリメントキーを使用して、ユーザから表示部（ディスプレイ５）が表示する画像情報の現在の表示時間間隔ｄｔとの差分情報（インクリメント量、または、デクリメント量）を変更要求として取得し、制御部６は、取得した変更要求の差分情報に従って表示部（ディスプレイ５）が表示する各情報の表示時間間隔ｄｔを制御する。このような動作により、ユーザは、現在の表示時間間隔ｄｔの絶対値を知らなくても、現在の表示時間間隔ｄｔからの相対値を設定することによって画面切換スピードの加速または減速を要求することができる。
【００２０】
実施の形態２．
以下、実施の形態２について説明する。
実施の形態１では、ユーザの表示時間間隔ｄｔの変更要求を受けて、画像表示速度制御装置１０が、画像の表示中にダイナミックに表示速度を変更する方法について説明した。実施の形態２では、これに加え、画像表示速度制御装置１０が、ユーザから要求される表示時間間隔ｄｔの変更要求に従って、画像の表示を早送りする方法について説明する。
【００２１】
図３に示すように、ディスプレイ５に写真１、写真２、写真３の順で画像が表示され、現在、ディスプレイ５には写真３が表示されているとする。写真３の表示時間間隔ｄｔは４秒であると仮定する。写真３の表示中にユーザから要求される表示時間間隔の変更要求に従って、画像の表示時間間隔ｄｔを３秒と算出した場合、制御部６は、算出した表示時間間隔ｄｔと予め定められた所定の基準値とを比較する。ここで、予め定められた所定の基準値とは、早送りの制御を行うか否かを決定するための基準となる数値である。今、この基準値を３．５秒と仮定すると、ユーザから要求されている画像の表示時間間隔ｄｔ＝３秒は基準値＝３．５秒より短いため、制御部６は、画像の早送りの制御を行うと判断する。画像の早送りとは、画像を順に早く送ること、または、いずれかの画像を飛ばして送ることをいう。
【００２２】
たとえば、図３では、制御部６が、算出した表示時間間隔ｄｔと予め定められた所定の基準値とを比較した結果、写真４以降の写真を早送りの対象としているが、早送りとして画像を順に早く送る方法を採用する場合には、基準値３．５秒間で、写真４と写真５とを素早く切り換えることによって両方の画像をディスプレイ５に表示する。
一方、早送りとしていずれかの画像を飛ばして送る方法を採用する場合には、基準値３．５秒間、写真４を表示した後、写真５を飛ばして、すなわち、ディスプレイ５に写真５を表示せず、写真６をディスプレイ５に表示する。
なお、図３に示す写真６、写真７、写真８も同様にして制御する。
【００２３】
ユーザが、実際にこま送りなどの早送りを要求する方法としては、十字キーを押し続ける方法がある。この場合には、要求する表示時間間隔ｄｔが予め定められた所定の基準値より短くなった時に携帯電話は、ユーザから早送りの要求があったと判断することができる。また、テンキーを使用して早送りを要求する方法も考えられる。この場合、ユーザが押した数値が予め定められた所定の基準値より短い時に携帯電話は、ユーザから早送りの要求があったと判断することができる。
【００２４】
このように、制御部６が、上記変更要求からユーザが所定の基準値以下の表示時間間隔を要求していると判断した場合には、上記変更要求に従って表示部（ディスプレイ５）が順次表示する情報（画像情報）のいずれか１つ以上を早送りすることによって、ユーザは、さらに、大量に保存された情報を効率的に閲覧することができるため、ユーザが見たい情報へのアクセス時間をさらに短縮することができる。
【００２５】
実施の形態３．
以下、実施の形態３について説明する。
図４は、本実施の形態に係る画像表示速度制御装置１０の構成図である。
本実施の形態では、図１の画像表示速度制御装置１０の構成にスピーカ１３が構成要素として追加されている。スピーカ１３は、音声情報を順次出力する出力部に相当する。他の構成要素は図１に示す画像表示速度制御装置１０と同様であるので説明を省略する。
【００２６】
本実施の形態では、データベース４には、所定の画像情報に対し、画像情報とともに、対応する音声情報が記憶されている。
情報取得部９は、データベース４から所定の画像情報と前記画像情報に対応する音声情報を取得する。
ディスプレイ５は、制御部６が制御する表示時間間隔ｄｔに従って情報取得部９が取得した画像情報を順次表示する。
スピーカ１３は、制御部６が制御する表示時間間隔ｄｔに従って、ディスプレイ５が画像情報を表示するタイミングに連動して該当画像情報に対応する音声情報を出力する。
【００２７】
このように、本実施の形態では、データベース４から取得した画像を順次１つずつディスプレイ５に表示し、画像情報に対応した音声情報も、画像情報の表示に連動して順次スピーカ１３に出力する際に、ユーザが動的に表示時間間隔ｄｔを変更することによって、ディスプレイ５に表示される画像表示の切換速度の変更に伴って、スピーカ１３に出力される音声の出力時刻も動的に変更することができる。
【００２８】
実施の形態４．
次に、実施の形態４について説明する。
図５は、本実施の形態に係る画像表示速度制御装置１０の構成図である。
本実施の形態では、図４の画像表示速度制御装置１０の構成に条件設定部８が追加されている。条件設定部８は、データベース４を検索する検索条件を設定する部である。
他の構成要素は図４に示す画像表示速度制御装置１０と同様であるので説明を省略する。
【００２９】
条件設定部８は、所定の画像情報の一部を検索対象範囲としてユーザに指定することを要求し、ユーザが指定した検索対象範囲に含まれる画素から検索対象範囲に含まれる画像の特徴部分を抽出し、抽出した画像の特徴部分からデータベース４の検索条件を設定する。
【００３０】
図６は、条件設定部８が行う検索条件の設定手順を示す図である。
図７は、実施の形態４に係る画像表示速度制御装置１０の動作手順を示すフローチャートである。
図６に示すように、たとえば、ユーザは、データベース４に記憶された画像情報から１つの画像情報（写真１０）を所定の画像情報として選択したとする。選択した写真１０からユーザによって顔の部分のみが検索対象範囲として指定されたとすると、条件設定部８は、検索対象範囲に含まれる画素から検索対象範囲に含まれる画像の特徴部分として一人の人間の顔を抽出し、抽出した人間の顔を検索条件Ａとして設定する。
【００３１】
また、たとえば、選択した写真１０からユーザによって顔の部分とコップの部分が検索対象範囲として指定されたとすると、条件設定部８は、検索対象範囲に含まれる画素から検索対象範囲に含まれる画像の特徴部分として一人の人間の顔とコップを抽出し、抽出した人間の顔とコップを検索条件Ｂとして設定する。
検索条件Ｂは「人間の顔」と「コップ」の両方の条件を満たす情報を検索するアンド検索として設定することができる。また、「人間の顔」と「コップ」のいずれかの条件を満たす情報を検索するオア検索として設定することも可能である。
【００３２】
このようにして、図７に示すように、条件設定部８は検索条件を取得する（Ｓ７０）。
データベース４には、複数の画像情報が記憶されているが、情報取得部９は、データベース４に記憶された複数の画像情報から条件設定部８が設定した検索条件を満たす画像情報を取得する（Ｓ３０）。たとえば、条件設定部８が設定した検索条件が図６に示す検索条件Ａである場合には、情報取得部９は、検索条件Ａの顔を持つ人物が描画された画像をデータベース４から取得する。
情報取得部９が取得するデータがある場合には（Ｓ４０）、ディスプレイ５は、制御部６が制御する表示時間間隔ｄｔに従って、情報取得部９が取得した画像情報を順次表示する（Ｓ５０，Ｓ６０）。すなわち、ディスプレイ５には、検索条件Ａの顔を持つ人物が描画された画像のみが順に表示されることになる。図７に示す他のステップは、図２に示すフローチャートの同ステップと同様であるので、説明を省略する。
【００３３】
このように、本実施の形態の画像表示速度制御装置１０では、条件設定部８が、ユーザによって指定された検索対象範囲に含まれる画素から物体の形態情報を画像の特徴部分として抽出し、抽出した形態情報から検索条件を設定し、ディスプレイ５に、検索条件の形態情報を持つ画像のみを選択して表示時間間隔ｄｔおきに、順次、表示することができるため、ユーザは、自己が要求する画像のみを短時間に閲覧することができる。
【００３４】
条件設定部８は、ユーザが指定した検索対象範囲に含まれる画素から物体の数情報を画像の特徴部分として抽出し、抽出した数情報から検索条件を設定することも可能である。たとえば、ユーザが指定した検索対象範囲に３人の人間が描画されていたと仮定すると、ユーザが指定した検索対象範囲に含まれる画素から検索対象範囲に画像として表された人間の数「３人」を検索条件として設定することができる。この場合、情報取得部９は、３人の人間が描画されている画像をデータベース４から取得することとなる。
【００３５】
条件設定部８は、ユーザが指定した検索対象範囲に含まれる画素の持つ色相情報（色合い）を画像の特徴部分として抽出し、抽出した色相情報から検索条件を設定することもできる。この場合、情報取得部９は、検索条件として設定された色合いに近い色合いを持つ画像情報をデータベース４から取得する。
【００３６】
その他、条件設定部８は、動画、静止画のいずれかを検索条件として指定することができる。また、条件設定部８は、日時の指定（たとえば、２０００年１月１日と指定）、日時の範囲指定（たとえば、２０００年１月１日から２０００年１２月３１日と指定）を検索条件として指定することができる。
また、人間の描画されている画像を検索条件として指定することもできる。この場合には、人間（単数人でもよく複数人でもよい）が描かれている画像のみが選択される。人間の着ている服や帽子などの特徴部分や、特定の動物、特定の植物、装飾品等、描画できるあらゆる画像を検索条件として指定することができる。
また、色相のマトリックスを示したマトリックス図から１つ以上の色相を検索対象範囲としてユーザに指定させてもよい。
また、携帯電話などが備える撮影部（カメラ）の機能を使用してユーザが撮影した写真に基づいて、条件設定部８が写真の一部を検索対象範囲としてユーザに指定させるようにしてもよい。
【００３７】
本実施の形態では、上述した方法を用いて、検索条件を複数設定することでディスプレイ５に表示する画像の数をさらに限定することができる。したがって、本実施の形態によれば、ユーザは所望の画像にアクセスするまでの時間をさらに短時間にすることができる。
【００３８】
なお、条件設定部８が、画像情報の一部を検索対象範囲としてユーザに指定させる一例としては、複数の画像を記録したデータベース４などの画像ファイルから１画像（１画面）を検索対象範囲としてユーザに指定させる場合が考えられる。また、他の一例としては、１画像（１画面）からその画面の一部分を検索対象範囲としてユーザに指定させる場合が考えられる。
【００３９】
実施の形態５．
以下、実施の形態５について説明する。
本実施の形態では、データベース４には、所定の画像情報に対応して音声情報を記憶している。すなわち、データベース４に記憶された複数の画像情報のうち、１以上の画像情報は音声情報を連携して記憶している。
条件設定部８は、ユーザからの指示にしたがって画像情報と音声情報との少なくともいずれかを検索条件として設定する。
たとえば、図８に示すように、データベース４が、犬の画像に対応して音声情報「ワンワン」を記憶しているとする。
条件設定部８は、ユーザからの指示を受けて、たとえば、音声情報「ワンワン」を検索条件Ｃとして設定する。
情報取得部９は、条件設定部８によって設定された検索条件を満たす音声情報と音声情報に対応する１以上の画像情報とをデータベース４から取得する。
ディスプレイ５は、情報取得部９が取得した画像情報（犬の画像）を順次表示し、スピーカ１３は、ディスプレイ５が画像情報（犬の画像）を表示するタイミングに連動して、画像情報に対応した音声情報（ワンワン）を出力する。
【００４０】
本実施の形態によれば、ユーザは、音声情報を検索条件としてデータベース４からピックアップされた画像情報と音声情報を鑑賞することができる。
【００４１】
なお、音声情報を検索条件として音声情報を検索することも可能である。データベース４に複数の音声情報が記憶されている場合、条件設定部８はユーザから指定された音声情報を検索条件として設定し、情報取得部９はデータベース４から条件設定部８が設定した検索条件に従って音声情報を取得し、スピーカ１３は情報取得部９が取得した音声情報の全部または一部のいずれかを出力する。
音声情報の一部を出力するとは、たとえば、歌の先頭部分のみを出力したり、歌のさび部分のみを出力する場合である。
【００４２】
実施の形態６．
次に、実施の形態６について説明する。
図９は、実施の形態６に係る画像表示速度制御装置１０の動作手順を示すフローチャートである。
本実施の形態では、条件設定部８は、データベース４を検索する検索条件を設定するとともに、画像情報を加工する加工条件を設定する。
情報取得部９は、検索条件に基づいて、データベース４から画像情報を取得し（Ｓ３０）、取得するデータがある場合には（Ｓ４０）、加工条件に基づいて、取得した画像情報を加工する（Ｓ９０）。
ディスプレイ５は、制御部６が制御する画像情報の表示時間間隔ｄｔをに従って（Ｓ５０）、加工された画像情報を順次表示する（Ｓ６０）。
条件設定部８が設定する加工条件は初期設定されており、たとえば、モザイク、ぼかし、ネガポジ反転、スケッチ帳が加工条件として挙げられる。また、条件設定部８は、プリクラ（登録商標）等に使用されているような画像を装飾するコンテンツからユーザに好みのコンテンツを指定させ、指定させたコンテンツを画像の加工条件としても良い。
【００４３】
本実施の形態では、ディスプレイ５に順次表示される画像を、その切換スピードを動的に変化させながら、加工して閲覧することができる。
【００４４】
実施の形態７．
最後に、実施の形態７について説明する。
図１０は、実施の形態７に係る画像表示速度制御装置１０の動作手順を示すフローチャートである。
本実施の形態においても、条件設定部８は、情報取得部９が取得した画像情報を加工する加工条件と、データベース４の検索条件を設定する。
情報取得部９は、検索条件に基づいて、データベース４から画像情報を取得し（Ｓ３０）、取得するデータがある場合には（Ｓ４０）、ディスプレイ５は、制御部６が制御する画像情報の表示時間間隔ｄｔに従って（Ｓ５０）、画像情報を順次表示する（Ｓ６０）。
情報取得部９は、ディスプレイ５に表示されている画像を加工するかをユーザに問い合わせる（Ｓ１００）。ＮＯの場合には、次の画像をデータベース４から取得する処理に戻るが、ＹＥＳの場合には、画像情報を上記加工条件に基づいて加工し（Ｓ１１０）、ディスプレイ５は、加工された画像情報を表示する（Ｓ１２０）。
【００４５】
本実施の形態では、ディスプレイ５に表示されている画像を加工するかをユーザに問い合わせ、ユーザが加工を希望する画像のみに加工処理を施して表示することにより、実施の形態６と比較して加工処理の負担を軽減し、全体の処理スピード及び画像の表示スピードを向上させることができる。
【００４６】
図１１は、画像表示速度制御装置１０のコンピュータ基本構成図である。
図１１において、プログラムを実行するＣＰＵ４０は、バス３８を介してディスプレイ５、スピーカ１３、キーボード４２、マウス４３、通信ポート４４、磁気ディスク装置４６等と接続されている。
磁気ディスク装置４６には、ＯＳ４７、プログラム群４９、データベース４が記憶されている。プログラム群４９には、たとえば、データベース４から取得した画像をディスプレイ５に表示する表示時間間隔ｄｔを制御するためのプログラムなどが記憶されており、これらのプログラムはＣＰＵ４０、ＯＳ４７により実行される。
【００４７】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
また、上記各構成要素の動作を、各構成要素の処理と置き換えることにより、プログラムの実施の形態とすることができる。
また、プログラムを、プログラムを記録したコンピュータ読み取り可能な記録媒体に記憶させることで、プログラムに記録したコンピュータ読み取り可能な記録媒体の実施の形態とすることができる。
【００４８】
プログラムの実施の形態及びプログラムに記録したコンピュータ読み取り可能な記録媒体の実施の形態は、すべてコンピュータで動作可能なプログラムにより構成することができる。
プログラムの実施の形態およびプログラムを記録したコンピュータ読み取り可能な記録媒体の実施の形態における各処理はプログラムで実行されるが、このプログラムは、記録装置に記録されていて、記録装置から中央処理装置（ＣＰＵ）に読み込まれ、中央処理装置によって、各プログラムが実行されることになる。また、各実施の形態のソフトウェアやプログラムは、ＲＯＭ（ＲＥＡＤ  ＯＮＬＹ  ＭＥＭＯＲＹ）に記憶されたファームウェアで実現されていても構わない。あるいは、ソフトウェアとファームウェアとハードウェアとの組み合わせで前述したプログラムの各機能を実現しても構わない。
【００４９】
【発明の効果】
本発明によれば、大量に保存された情報を効率的に閲覧するために、ユーザの要求に従って画面の切換時間間隔を動的に変更することができる。
【図面の簡単な説明】
【図１】実施の形態１に係る画像表示速度制御装置１０の構成図である。
【図２】実施の形態１に係る画像表示速度制御装置１０の動作手順を示すフローチャートである。
【図３】ディスプレイ５への画像の表示時間間隔の制御を示す図である。
【図４】実施の形態３に係る画像表示速度制御装置１０の構成図である。
【図５】実施の形態４に係る画像表示速度制御装置１０の構成図である。
【図６】条件設定部８が行う検索条件の設定手順を示す図である。
【図７】実施の形態４に係る画像表示速度制御装置１０の動作手順を示すフローチャートである。
【図８】条件設定部８が行う検索条件の設定手順を示す図である。
【図９】実施の形態６に係る画像表示速度制御装置１０の動作手順を示すフローチャートである。
【図１０】実施の形態７に係る画像表示速度制御装置１０の動作手順を示すフローチャートである。
【図１１】画像表示速度制御装置１０のコンピュータ基本構成図である。
【符号の説明】
１  インターフェイス部、２  変更要求取得部、４  データベース、５  ディスプレイ、６  制御部、７  タイマ、８  条件設定部、９  情報取得部、１０  画像表示速度制御装置、１３  スピーカ、３８  バス、４０  ＣＰＵ、４２  キーボード、４３  マウス、４４  通信ポート、４６  磁気ディスク装置、４７  ＯＳ、４９  プログラム群。
【図１】
2004317604.tif 000003
【図２】
2004317604.tif 000004
【図３】
2004317604.tif 000005
【図４】
2004317604.tif 000006
【図５】
2004317604.tif 000007
【図６】
2004317604.tif 000008
【図７】
2004317604.tif 000009
【図８】
2004317604.tif 000010
【図９】
2004317604.tif 000011
【図１０】
2004317604.tif 000012
【図１１】
2004317604.tif 000013